(57)【特許請求の範囲】
【請求項１】
正逆回転モータを有し、前記正逆回転モータに連動するドラムを有し、前記ドラムに巻付けられたロープに取付けられた昇降物を前記ドラムの正逆回転により昇降する昇降装置の入力装置であって、
前記昇降物を上昇するように前記正逆回転モータを一方向に回転させる上昇スイッチと、前記昇降物を下降するように前記正逆回転モータを逆方向に回転させる下降スイッチと、手動停止モードの場合に前記昇降物の昇降動作を停止する停止スイッチと、制御装置とを備え、
前記制御装置は、前記上昇スイッチで前記昇降物を上昇し前記停止スイッチで停止させるとともに前記下降スイッチで前記昇降物を下降し前記停止スイッチで停止させる前記手動停止モードと、前記上昇スイッチで前記昇降物を上昇しタイマで自動的に停止させるとともに前記下降スイッチで前記昇降物を下降し前記タイマで自動的に停止させる自動停止モードとを有し、前記手動停止モードと前記自動停止モードの切り換えを前記停止スイッチの操作を設定時間を超える間継続することにより行うことを特徴とする入力装置。
【請求項２】
正逆回転モータを有し、前記正逆回転モータに連動するドラムを有し、前記ドラムに巻付けられたロープに取付けられた昇降物を前記ドラムの正逆回転により昇降する複数の昇降装置の入力装置であって、
前記昇降物を上昇するように前記正逆回転モータを一方向に回転させる上昇スイッチと、前記昇降物を下降するように前記正逆回転モータを逆方向に回転させる下降スイッチと、手動停止モードの場合に前記昇降物の昇降動作を停止する停止スイッチと、制御装置とを備え、
前記上昇スイッチ、前記下降スイッチおよび前記停止スイッチは前記昇降装置ごとに有し、
前記制御装置は、前記上昇スイッチで前記昇降物を上昇し前記停止スイッチで停止させるとともに前記下降スイッチで前記昇降物を下降し前記停止スイッチで停止させる前記手動停止モードと、前記上昇スイッチで前記昇降物を上昇しタイマで自動的に停止させるとともに前記下降スイッチで前記昇降物を下降し前記タイマで自動的に停止させる自動停止モードとを有し、
さらに前記手動停止モードと前記自動停止モードを前記複数の昇降装置ごとに個別に切り換える第１のモードと、前記手動停止モードと前記自動停止モードを前記複数の昇降装置の全てについて一括して切り換える第２のモードとを有し、
前記停止スイッチの操作を第１の設定時間とこれよりも長い第２の設定時間の間の時間継続することにより前記複数の昇降装置を前記第１のモードで動作させ、
前記停止スイッチの操作を前記第２の設定時間を超える間継続することにより前記複数の昇降装置を前記第２のモードで動作させることを特徴とする入力装置。
【請求項３】
正逆回転モータを有し、前記正逆回転モータに連動するドラムを有し、前記ドラムに巻付けられたロープに取付けられて前記ドラムの正逆回転により昇降する照明器具を有する照明昇降システムであって、
前記照明器具を上昇するように前記正逆回転モータを一方向に回転させる上昇スイッチと、前記照明器具を下降するように前記正逆回転モータを逆方向に回転させる下降スイッチと、手動停止モードの場合に前記照明器具の昇降動作を停止する停止スイッチと、制御装置とを備え、
前記制御装置は、前記上昇スイッチで前記照明器具を上昇し前記停止スイッチで停止させるとともに前記下降スイッチで前記照明器具を下降し前記停止スイッチで停止させる前記手動停止モードと、前記上昇スイッチで前記照明器具を上昇しタイマで自動的に停止させるとともに前記下降スイッチで前記照明器具を下降し前記タイマで自動的に停止させる自動停止モードとを有し、前記手動停止モードと前記自動停止モードの切り換えを前記停止スイッチの操作を設定時間を超える間継続することにより行うことを特徴とする照明昇降システム。
【発明の詳細な説明】
【０００１】
【発明の属する技術分野】
この発明は、例えば、機器、製品および荷物などの昇降装置および搬送装置、文字、番号、映像および標識などの情報表示装置、公共場所、館内および地域などの放送装置、照明、サインおよびバックライトなどの照明装置等のように人為的操作を受けて制御の開始、停止、変化などを司る制御機器全般の入力装置および照明昇降システムに関するものである。
【０００２】
【従来の技術】
従来、主たる目的または通常の目的のために入力を受け付ける入力装置の入力部としては、スイッチ、ボタン、レバー、ダイヤルおよびタッチパネルなど様々あるが、入力するためには操作を必要とする。一般的に操作方法はその入力装置の形状によって安易に予想でき、スイッチなら押す、レバーなら回す、引くなど簡単に操作できる。
【０００３】
そのため不特定多数の人が訪れる公共性の高いところ、または操作に不慣れな人が操作する可能性のある場合、さらに操作には長けているが操作する人が特定されていない場合などは、制御内容の設定など根幹に係わるところが意と反して変更されてしまうことがある。
これを防止するためには、入力装置を制御装置から切り離して主たる目的または通常の目的のために必要とされる部分を具備させておいたり、また設定変更のための入力装置は制御装置に残し、一般的に触れにくい居所や管理者を付けるなどして対応をするのが一般的である。例えば、テレビのリモコンにはチャンネルや音量ボタンはあるが、画面の色やシャープネス（ソフト）等はテレビ本体で行なうようになっている。ただし、どうしても入力装置がある所で設定を変更したい場合がある。そこで設定変更のための入力部を入力装置に設けるが、そのままでは故意または過失で設定の変更をされてしまうので入力部に蓋をし鍵を設けることにより防止する。鍵以外には暗証番号を入れることによって設定変更可能にしたり、その入力だけでは何も指令をしないが他の入力と組み合わせることによって可能にする。例えば何かスイッチを押しながらもうひとつのスイッチを押すというような操作があり、またその他には親子電話の子機などのようにスイッチの押す順番や組合せに暗号性を持たせその入力があると設定変更可能状態にするようなものがある。
【０００４】
【発明が解決しようとする課題】
しかしながら、従来、主たる目的または通常の目的のために入力を受け付ける入力装置を具備しこれ以外には何も設けないで、主目的または通常の目的以外の指令を与える手段はなかった。
したがって、この発明の目的は、一般の人に設定を容易に変えられることなくまた隠蔽用の蓋を設けることなく小型化が可能な入力装置および照明昇降システムを提供することである。
【０００５】
【課題を解決するための手段】
この発明は、入力装置の種類に係わらず、本来の入力に要する時間を超えて比較的長い時間の入力が続いた場合に、主目的または通常目的以外の指令を与えることを可能にしたものである。
動作の始動・停止、画面の表示・非表示、音声の出力・停止、光源の点灯・消灯などの指令を与える制御機器において、一体の入力装置または分離し遠隔より操作する入力装置を備えるものにあって、押す・引く・回す・触れる・差し込む・踏む・立ち止まるなどの入力の方法如何にかかわらず、人の動作によって入力装置に働きかけ指令を与える場合に、主たる目的のための指令以外または通常の使用目的以外の指令を与える手段として、入力の時間が主たる目的のための指令の入力時間に比べて長くすることを特徴とする。
【０００６】
請求項１の入力装置は、正逆回転モータを有し、前記正逆回転モータに連動するドラムを有し、前記ドラムに巻付けられたロープに取付けられた昇降物を前記ドラムの正逆回転により昇降する昇降装置の入力装置であって、
前記昇降物を上昇するように前記正逆回転モータを一方向に回転させる上昇スイッチと、前記昇降物を下降するように前記正逆回転モータを逆方向に回転させる下降スイッチと、手動停止モードの場合に前記昇降物の昇降動作を停止する停止スイッチと、制御装置とを備え、
前記制御装置は、前記上昇スイッチで前記昇降物を上昇し前記停止スイッチで停止させるとともに前記下降スイッチで前記昇降物を下降し前記停止スイッチで停止させる前記手動停止モードと、前記上昇スイッチで前記昇降物を上昇しタイマで自動的に停止させるとともに前記下降スイッチで前記昇降物を下降し前記タイマで自動的に停止させる自動停止モードとを有し、前記手動停止モードと前記自動停止モードの切り換えを前記停止スイッチの操作を設定時間を超える間継続することにより行うことを特徴とするものである。
【０００７】
請求項１記載の入力装置によれば、入力部を押している時間をある設定時間より長くすることにより、主出力モードから副出力モードすることができる。このため、一般的に人目に触れやすく簡単に操作できる所に設置する入力装置であっても、設定の変更等が行なえる。また通常の操作では一般の人に設定を代えられてしまうことが無くなるし、入力装置に一般には関係のないスイッチやそのスイッチを隠すための蓋等や、また鍵類を必要としなくなり、さらに外観の美観を損なうことや物理的に余分な寸法が必要でなくなり、無用に大きくすることを避けられる。
【０００８】
請求項２記載の入力装置は、正逆回転モータを有し、前記正逆回転モータに連動するドラムを有し、前記ドラムに巻付けられたロープに取付けられた昇降物を前記ドラムの正逆回転により昇降する複数の昇降装置の入力装置であって、
前記昇降物を上昇するように前記正逆回転モータを一方向に回転させる上昇スイッチと、前記昇降物を下降するように前記正逆回転モータを逆方向に回転させる下降スイッチと、手動停止モードの場合に前記昇降物の昇降動作を停止する停止スイッチと、制御装置とを備え、
前記上昇スイッチ、前記下降スイッチおよび前記停止スイッチは前記昇降装置ごとに有し、
前記制御装置は、前記上昇スイッチで前記昇降物を上昇し前記停止スイッチで停止させるとともに前記下降スイッチで前記昇降物を下降し前記停止スイッチで停止させる前記手動停止モードと、前記上昇スイッチで前記昇降物を上昇しタイマで自動的に停止させるとともに前記下降スイッチで前記昇降物を下降し前記タイマで自動的に停止させる自動停止モードとを有し、
さらに前記手動停止モードと前記自動停止モードを前記複数の昇降装置ごとに個別に切り換える第１のモードと、前記手動停止モードと前記自動停止モードを前記複数の昇降装置の全てについて一括して切り換える第２のモードとを有し、
前記停止スイッチの操作を第１の設定時間とこれよりも長い第２の設定時間の間の時間継続することにより前記複数の昇降装置を前記第１のモードで動作させ、
前記停止スイッチの操作を前記第２の設定時間を超える間継続することにより前記複数の昇降装置を前記第２のモードで動作させることを特徴とするものである。
請求項２記載の入力装置によれば、請求項１と同様な効果がある。
請求項３記載の照明昇降システムは、正逆回転モータを有し、前記正逆回転モータに連動するドラムを有し、前記ドラムに巻付けられたロープに取付けられて前記ドラムの正逆回転により昇降する照明器具を有する照明昇降システムであって、
前記照明器具を上昇するように前記正逆回転モータを一方向に回転させる上昇スイッチと、前記照明器具を下降するように前記正逆回転モータを逆方向に回転させる下降スイッチと、手動停止モードの場合に前記照明器具の昇降動作を停止する停止スイッチと、制御装置とを備え、
前記制御装置は、前記上昇スイッチで前記照明器具を上昇し前記停止スイッチで停止させるとともに前記下降スイッチで前記照明器具を下降し前記停止スイッチで停止させる前記手動停止モードと、前記上昇スイッチで前記照明器具を上昇しタイマで自動的に停止させるとともに前記下降スイッチで前記照明器具を下降し前記タイマで自動的に停止させる自動停止モードとを有し、前記手動停止モードと前記自動停止モードの切り換えを前記停止スイッチの操作を設定時間を超える間継続することにより行うことを特徴とするものである。
【０００９】
請求項３記載の照明昇降システムによれば、請求項１と同様な効果がある。
【００１３】
【発明の実施の形態】
この発明の第１の実施の形態を図１および図２により説明する。すなわち、この入力装置は、入力手段１と、出力部とおよび制御部を含む制御装置６を有する。
入力手段１は、操作により動作するものであり、実施の形態では操作力が加えられて動作する押釦スイッチの押釦としている。
【００１４】
ここで入力装置７によって操作される被操作装置は例えば照明昇降装置１３であり、入力装置７には入力手段として停止スイッチ８、上昇スイッチ９および下降スイッチ１０を設けている。図１に示す照明昇降装置について説明する。２は正逆回転モータ、３はドラム、４はロープ、５は被昇降体となる照明器具、６は正逆回転モータ２を制御する制御装置、７は入力装置である。
【００１５】
制御装置６は手動停止モードを有し、上昇スイッチ９を押すと、正逆回転モータ２が例えば正回転し、ロープ４を巻き込むようにドラム３を回転させてロープ４により照明器具５を上昇させ、上昇動作中に停止スイッチ８を押すと正逆回転モータ２が停止し、上昇が停止する。また下降スイッチ１０を押すと、正逆回転モータ２が逆回転し、ロープ４を巻き戻すようにドラム３を回転させてロープ４により照明器具５を下降し、停止スイッチ８を押すと正逆回転モータ２が停止するように制御している。したがって、手動停止モードでは停止位置が毎回異なる使い方に適する。
【００１６】
また制御装置６は自動停止モードを有し、上昇スイッチ９を押すと、正逆回転モータ２が正回転し、ドラム３を回転させてロープ４により照明器具５を上昇させ、タイマの設定時間が経過するとタイマ動作により自動的に停止したり、照明器具５の最上昇位置をリミットスイッチで検知すると自動的に停止する。同様に下降スイッチ１０を押すと、正逆回転モータ２が逆回転し、ドラム３を回転させてロープ４により照明器具５を下降し、下降用タイマの設定時間が経過するとタイマ動作により自動的に停止するように制御している。したがって、自動停止モードでは停止位置が毎回同じとなる使い方に適している。
【００１７】
制御装置６のこれらの制御を実現する手段は公知の手段により達成することができる。
制御装置６における入力装置の出力部は、主出力モードおよびこれと異なる副出力モードを選択的に出力可能であって入力手段１の動作によりいずれかの出力モードを出力する。入力手段１の操作力が継続する間同一動作状態を維持するものである。実施の形態の主出力モードは照明昇降装置１３の複数の動作モードのいずれかであり、副出力モードはその複数の動作モードを切り換えるものである。すなわち照明昇降装置１３の複数の動作モードは前記した手動停止モードと自動停止モードである。切り換え手段は例えば通常のスイッチによる回路切り換えである。
【００１８】
制御装置６における制御部は、入力手段１に加えられる操作の継続する時間が設定時間内であるか否かを判断する判断部（図示せず）を有し、設定時間内の場合に出力部より主出力モードを動作させ、設定時間を超えた場合に出力部より副出力モードを動作させるものである。実施の形態では、副出力モードが動作モードを切り換える動作をさせるものであるから、主出力モードが手動停止モードのときは副出力モードに操作することによって主出力モードが自動停止モードに切り替わる。またこのような状態で再度副出力モードに操作すると主出力モードが手動停止モードに切り替わる。
【００１９】
例えば、通常は自動停止モードである場合、昇降スイッチ９または下降スイッチ１０を押すことにより照明器具５を昇降し自動停止することができる。つぎに、ある一定の期間手動停止モードにしたいとき、停止スイッチ８を設定時間以上例えば数秒押し続けることによって手動停止モードに切り換えられる。これにより昇降スイッチ９または下降スイッチ１０を押すことにより照明器具５を昇降できるが停止する場合には停止スイッチ８を押す必要がある。一定の期間の終了時には停止スイッチ８を数秒押し続けることによって、再び自動停止モードに切り換えるように制御することができる。これらの構成も例えば判断部をカウンタと比較器で構成するなど、公知の手段により達成可能である。
【００２０】
このように、照明昇降装置１３とそれを制御する制御装置６および入力を受け持つ入力装置７で構成されたシステムにおいて、一般的に入力装置７には下降・上昇・停止の指令をするためのスイッチ等があり、一般の人はこれを用いて被昇降物を上昇・下降・停止の操作をする。この場合、停止位置が毎回違う使い方と毎回同じであるような、手動式と自動停止式などモード数を複数有するとき、これを切り換える際に制御装置６に操作手段を設けて操作するのではなく、入力装置７を操作することで達成することができる。
【００２１】
第１の実施の形態の変形形態として、停止スイッチ８だけでなく、停止スイッチ８および上昇スイッチ９の両方を数秒以上押すことでモードを切り換えるように構成してもよい。
また他の変形形態として、動作モードが自動停止モードまたは手動停止モードのいずれか一方で、他のモードとして照明昇降装置１３を照明器具５の昇降が不可能となる不動作状態とすることが可能である。例えば停止スイッチ８等を操作すると、インターロック機能が働いて照明昇降装置１３の上昇および下降の操作をできなくすることができる。
【００２２】
さらに他の変形形態として、入力手段８は被操作装置数すなわち照明昇降装置の数に対応して複数有し、主出力モードは入力手段８のいずれかに対応した被操作装置を個別に動作させ、副出力モードはいずれかの入力手段８により少なくとも２以上の被操作装置を一括して動作させるようにしてもよい。
この発明の第２の実施の形態を図３から図６に示す。すなわち、この入力装置は、第１の実施の形態において、複数の入力手段１２ａ〜１２ｃが複数の被操作装置である照明昇降装置１１ａ〜１１ｃの数に対応して設けられ、入力手段１２ａ〜１２ｃは入力装置の同じパネルに設けている。また主出力モードは複数の動作モード例えば第１の実施の形態に示す手動停止モードおよび自動停止モードのいずれかを選択的に動作させるものである。副出力モードは動作モードを照明昇降装置１１ａ〜１１ｃごとに個別に切り換える第１の副モード（一部モード）と、動作モードを全ての照明昇降装置１１ａ〜１１ｃに一括して切り換える第２の副モード（全モード）からなる。すなわち、主出力モードは、第１の副モードを選択するごとに照明昇降装置１１ａ〜１１ｃが個別に動作モードの手動停止モードまたは自動停止モードに切り替わり、同様に第２の副モードを選択するごとに全照明昇降装置１１ａ〜１１ｃが手動停止モードまたは自動停止モードに同時に切り替わる。
【００２３】
判断部は入力手段８ａ〜８ｃに加えられる操作力の継続する時間が第１の設定時間以下であるか否か、第１の設定時間であるか否か、それよりも大きい第２の設定時間であるか否かを判断する。実施の形態では、第１の設定時間を例えば５秒以上８秒未満とし、第２の設定時間を例えば８秒以上としている。
制御部は第１の設定時間より少ない時間の場合に主出力モードを出力させ、第１の設定時間の場合に第１の副モードを動作させ、すなわち入力手段１２ａ〜１２ｃに対応した照明昇降装置１１ａ〜１１ｃに個別に自動停止モードおよび手動停止モードのいずれかのモードで動作させ、第２の設定時間である場合に第２の副モードを動作させ、すなわちいずれかの入力手段８ａ〜８ｃにより全ての照明昇降装置１１ａ〜１１ｃに一括して自動停止モードおよび手動停止モードのいずれかのモードで動作させるものである。
【００２４】
さらに詳細に説明すると、入力装置の入力手段１２ａの操作に対して動作する照明昇降装置１１ａがあり、入力手段１２ｂの操作に対して動作する照明昇降装置１１ｂがあり、入力手段１２ｃの操作に対して動作する照明昇降装置１１ｃがある。照明昇降装置１１ａ〜１１ｃが最初手動モードでかつ一部モードにあるとする。この場合、各上昇スイッチ９ａ〜９ｃのいずれかを押すとそれに対応する照明昇降装置１１ａ〜１１ｃのいずれかの照明器具５が上昇し、同様に下降スイッチ１０ａ〜１０ｃを押すと対応する照明器具５が下降する。そして照明器具５に対応する停止スイッチ８ａ〜８ｃのいずれかを５秒以内の間押すと、照明器具５の上昇または下降が停止する。つぎに入力手段１２ａの停止スイッチ８ａを５秒以上８秒以内押し続けることによって、第１の実施の形態と同様に照明昇降装置１１ａは手動停止モードから自動停止モードに切り替わり、同様に入力手段１２ｂの停止スイッチ８ｂを５秒以上８秒以内押し続けることによって照明昇降装置１１ｂは自動停止モードに切り替わり、入力手段１２ｃの停止スイッチ８ｃを５秒以上８秒以内押し続けることによって照明昇降装置１１ｃは自動停止モードに切り替わる。したがって、これらの場合は各上昇スイッチ９ａ〜９ｃのいずれかまたは下降スイッチ１０ａ〜１０ｃのいずれかを押すとそれに対応する照明昇降装置１１ａ〜１１ｃが上昇または下降し自動停止する。つぎに再度停止スイッチ８ａ〜８ｃのいずれかを５秒以上８秒以内押し続けると、押した停止スイッチ８ａ〜８ｃに対応する照明昇降装置８ａ〜８ｃが手動停止モードに再び切り替わる。
【００２５】
さらに、すべての照明昇降装置１１ａ〜１１ｃが手動停止モードまたは自動停止モードであるときに、任意の停止スイッチ８ａ〜８ｃを８秒以上押し続けると全ての照明昇降装置１１ａ〜１１ｃの昇降回路が自動停止モードまたは手動モードに切り替わる。この場合、個別に切り換えるよりも操作性がよくなる。なおこのとき各照明昇降装置１１ａ〜１１ｃの昇降は上昇スイッチ９ａ〜９ｃおよび下降スイッチ１０ａ〜１０ｃの操作により個別に行なうが、全てを何れかの上昇スイッチまたは下降スイッチを用いて同時に上昇または下降させるようにすることも可能である。
【００２６】
図４において、破線の矢印は５秒以上８秒未満の場合、実線の矢印は８秒以上の操作の場合であり、モードＡを手動停止モード、モードＢを自動停止モードとした場合に、前記した状態遷移のほか、モードＡ、Ｂ間で、一部モードＡまたはＢから全モードＡ、Ｂへの状態遷移が可能であり、全モードＡ、Ｂから一部モードＡ、Ｂへの状態遷移が可能である。
【００２７】
図５は入力手段８ａ〜８ｃによる操作部のフロー、図６は制御部のフローである。図５において、制御部はステップＳ1 で照明器具５が停止中か否かを判断し、ＹＥＳのときステップＳ2 で停止スイッチ８ａ〜８ｃが５秒から８秒以内押されたか８秒を超える時間押されたかを判断し、５秒から８秒以内ならばステップＳ3 で制御部に個別モード変更信号を送信し、８秒を超えるならばステップＳ4 で制御部に全モード変更信号を送信する。
【００２８】
図６において、ステップＳ5 で操作部である入力手段から個別モード変更の信号および全モード変更の信号のいずれが送られてきたか否かを判断し、個別モード変更（ＹＥＳ）ならばステップＳ6 で送られてきた信号のアドレスの状態がプリセットモードなのか、タイマモードなのかを判断し、ステップＳ8 、ステップＳ9 で現在の状態と違う状態に変更する。すなわちプリセットモードならばタイマモードに、タイマモードならばプリセットモードにする。ステップＳ5 で全モード変更ならばステップＳ7 でまず接続されているアドレスの状態が全て停止中か否かを判断し、ＹＥＳならばステップＳ10で送られてきた信号のアドレスの状態がプリセットモードなのかタイマモードなのかを判断しステップＳ11、Ｓ12で現在の状態と違う状態に接続されているアドレス全てを変更し、現在の状態と違うモードに変更する。ここで、プリセットモードを仮に手動停止モードとし、タイマモードを自動停止モードとする。
【００２９】
制御装置６′は個別モード変更信号の場合、照明昇降装置１１ａ〜１１ｃが個別に手動停止モードまたは自動停止モードで動作し、また全モード変更信号の場合照明昇降装置１１ａ〜１１ｃのいずれかの停止スイッチ８ａ〜８ｃを押すことで、全ての照明器具５が自動停止モードまたは手動停止モードで動作するものであり、照明器具５の昇降は各スイッチで個別に操作する。
【００３０】
その他は、第１の実施の形態と同様であり、共通部分に同一符号を附している。また入力装置および制御装置の構成も公知の手段により実現可能である。
なお、動作モードをプリセットモードとタイマモードとし、タイマモードを予め設定したタイマの時間にしたがって自動停止するモードとし、プリセットモードを最初は手動で任意の高さまで下降させて、その時間を記憶させ、つぎに下降するときは記憶した時間で最初に下降した高さと同じ高さに自動停止するモードとしてもよい。
【００３１】
また、第２の実施の形態では停止スイッチ８ａ〜８ｃのみでモードの切り換えが行なわれたが、第１の実施の形態の変形形態と同様に停止スイッチと上昇スイッチの両方を押してモード切り換えを行なうようにしてもよい。
【００３２】
【発明の効果】
請求項１記載の入力装置によれば、入力部を押している時間をある設定時間より長くすることにより、主出力モードから副出力モードすることができる。このため、一般的に人目に触れやすく簡単に操作できる所に設置する入力装置であっても、設定の変更等が行なえる。また通常の操作では一般の人に設定を代えられてしまうことが無くなるし、入力装置に一般には関係のないスイッチやそのスイッチを隠すための蓋等や、また鍵類を必要としなくなり、さらに外観の美観を損なうことや物理的に余分な寸法が必要でなくなり、無用に大きくすることを避けられる。
【００３３】
請求項２記載の入力装置によれば、請求項１と同様な効果がある。
請求項３記載の照明昇降システムによれば、請求項１と同様な効果がある。
【図面の簡単な説明】
【図１】この発明の第１の実施の形態の説明図である。
【図２】入力装置の操作状態の説明図である。
【図３】第２の実施の形態の説明図である。
【図４】モード状態遷移図である。
【図５】操作部のフロー図である。
【図６】制御部のフロー図である。
【符号の説明】
１    入力手段
６    制御装置
１３    被操作装置である照明昇降装置
【図１】
0003679237.tif 000002
【図２】
0003679237.tif 000003
【図３】
0003679237.tif 000004
【図４】
0003679237.tif 000005
【図５】
0003679237.tif 000006
【図６】
0003679237.tif 000007